(57)【要約】【課題】マルチレイヤＭＩＭＯのために望ましいサブアレイの組合せを使用することを可能にする。【解決手段】マルチレイヤＭＩＭＯ（Multi-Input  Multi-Output）のために使用可能な複数のサブアレイを示すサブアレイ情報を取得する取得部と、上記サブアレイ情報を端末装置に通知する制御部と、を備える装置が提供される。【選択図】図１３
2016152301.tif 000002
【特許請求の範囲】
【請求項１】
マルチレイヤＭＩＭＯ（Multi-Input  Multi-Output）のために使用可能な複数のサブアレイを示すサブアレイ情報を取得する取得部と、
前記サブアレイ情報を端末装置に通知する制御部と、
を備える装置。
【請求項２】
前記サブアレイ情報は、前記複数のサブアレイの各々に含まれるアンテナポートを示す情報を含む、請求項１に記載の装置。
【請求項３】
前記サブアレイ情報は、前記複数のサブアレイの各々を識別するための識別情報を含む、請求項１に記載の装置。
【請求項４】
前記取得部は、マルチレイヤＭＩＭＯのために組み合わせられるサブアレイの数を示す第１の数情報を取得し、
前記制御部は、前記第１の数情報を前記端末装置に通知する、
請求項１に記載の装置。
【請求項５】
前記端末装置は、前記複数のサブアレイに含まれる２つ以上のサブアレイの組合せに関する報告を行う端末装置であり、
前記取得部は、報告の対象とするサブアレイの組合せの数を示す第２の数情報を取得し、
前記制御部は、前記第２の数情報を前記端末装置に通知する、
請求項１に記載の装置。
【請求項６】
前記複数のサブアレイは、１つ以上のアンテナポートを共通に含む２つ以上のサブアレイを含む、請求項１に記載の装置。
【請求項７】
前記取得部は、前記複数のサブアレイに含まれる２つ以上のサブアレイの１つ以上の組合せ候補を示す組合せ候補情報を取得し、
前記制御部は、前記組合せ候補情報を前記端末装置に通知する、
請求項１に記載の装置。
【請求項８】
前記組合せ候補情報は、前記複数のサブアレイに含まれる２つ以上のサブアレイの２つ以上の組合せ候補を示し、
前記取得部は、前記２つ以上の組合せ候補の優先順位を示す優先順位情報を取得し、
前記制御部は、前記優先順位情報を前記端末装置に通知する、
請求項７に記載の装置。
【請求項９】
前記端末装置は、前記複数のサブアレイに含まれる２つ以上のサブアレイの組合せに関する報告を行う端末装置であり、
前記制御部は、前記端末装置により行われる前記報告に基づいて、前記端末装置についてのマルチレイヤＭＩＭＯのために使用される２つ以上のサブアレイの組合せを決定する、
請求項１に記載の装置。
【請求項１０】
前記端末装置についてのマルチレイヤＭＩＭＯのために使用される前記２つ以上のサブアレイの前記組合せは、１つ以上のアンテナポートを共通に含む所定数超のサブアレイを含まない、請求項９に記載の装置。
【請求項１１】
前記取得部は、前記複数のサブアレイのうちの、マルチレイヤＭＩＭＯにおいて同一の放射方向への指向性ビームを形成する２つ以上のサブアレイのグループを示すグループ情報を取得し、
前記制御部は、前記グループ情報を前記端末装置に通知する、
請求項１に記載の装置。
【請求項１２】
マルチレイヤＭＩＭＯのために使用可能な複数のサブアレイを示すサブアレイ情報を取得する取得部と、
前記複数のサブアレイに含まれる２つ以上のサブアレイの組合せに関する報告を行う制御部と、
を備える装置。
【請求項１３】
前記制御部は、前記複数のサブアレイの中から、マルチレイヤＭＩＭＯに望ましい２つ以上のサブアレイの組合せを選択し、
前記報告は、マルチレイヤＭＩＭＯに望ましい前記２つ以上のサブアレイの前記組合せの報告を含む、
請求項１２に記載の装置。
【請求項１４】
前記報告は、前記２つ以上のサブアレイの前記組合せについての重みセットの報告を含む、請求項１２に記載の装置。
【請求項１５】
前記重みセットは、前記２つ以上のサブアレイ間の位相を調整するための重みセットを含む、請求項１４に記載の装置。
【請求項１６】
前記報告は、前記２つ以上のサブアレイの前記組合せについてのレイヤ数の報告を含む、請求項１２に記載の装置。
【請求項１７】
前記報告は、前記２つ以上のサブアレイの前記組合せについてのチャネル品質の報告を含む、請求項１２に記載の装置。
【請求項１８】
前記取得部は、前記複数のサブアレイに含まれる２つ以上のサブアレイの１つ以上の組合せ候補を示す組合せ候補情報を取得し、
前記報告は、前記１つ以上の組合せ候補に含まれる組合せに関する報告である、
請求項１２に記載の装置。
【請求項１９】
前記組合せ候補情報は、前記複数のサブアレイに含まれる２つ以上のサブアレイの２つ以上の組合せ候補を示し、
前記取得部は、前記２つ以上の組合せ候補の優先順位を示す優先順位情報を取得し、
前記制御部は、前記優先順位情報に基づいて、前記２つ以上の組合せ候補に含まれる組合せに関する報告を行う、
請求項１８に記載の装置。
【請求項２０】
前記取得部は、前記複数のサブアレイのうちの、マルチレイヤＭＩＭＯにおいて同一の放射方向への指向性ビームを形成する２つ以上のサブアレイのグループを示すグループ情報を取得し、
前記制御部は、前記グループ情報に基づいて、前記グループについての、指向性を得るための重みセットを決定する、
請求項１２に記載の装置。
【発明の詳細な説明】
【技術分野】
【０００１】
本開示は、装置に関する。
【背景技術】
【０００２】
現在、３ＧＰＰ（Third  Generation  Partnership  Project）では、爆発的に増加するトラフィックを収容するために、セルラーシステムの容量を向上するための様々な技術が検討されている。将来、現在の１０００倍程度の容量が必要とも言われている。ＭＵ−ＭＩＭＯ（Multi-User  Multiple-Input  Multiple-Output）及びＣｏＭＰ（Coordinated  Multipoint）などの技術では、セルラーシステムの容量は数倍程度しか増加しないと考えられる。そのため、画期的な手法が求められている。【０００３】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ、マッシブ（Massive）ＭＩＭＯ、又はＦＤ（Free  Dimension）−ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。【０００４】
例えば、特許文献１〜３には、３次元方向への指向性ビームが使用される場合に適用される技術が開示されている。
【先行技術文献】
【特許文献】
【０００５】
【特許文献１】特開２０１４−２０４３０５号公報
【特許文献２】特開２０１４−５３８１１号公報
【特許文献３】特開２０１４−６４２９４号公報
【発明の概要】
【発明が解決しようとする課題】
【０００６】
３ＧＰＰの規格では、マルチレイヤＭＩＭＯ（即ち、２つ以上のレイヤでの端末装置への送信）のためのサブアレイは、一意に決められている。一方、ラージスケールＭＩＭＯのケースのように、アンテナ素子の増加に伴いアンテナポートが増加すると、自由度が上がり、様々なサブアレイが構成され得る。さらに、サブアレイの様々な組合せがアレイアンテナシステムとして使用され得る。また、使用されることが望ましいサブアレイの組合せ（即ち、使用されることが望ましいアレイアンテナシステム）は、端末装置によって異なり得る。それにもかかわらず、従来のようにサブアレイが一意に決められると、マルチレイヤＭＩＭＯにおいて端末装置にとっての望ましくないサブアレイが使用され得る。その結果、端末装置の通信速度又は通信品質などが低下し得る。【０００７】
そこで、マルチレイヤＭＩＭＯのために望ましいサブアレイの組合せを使用することを可能にする仕組みが提供されることが望ましい。
【課題を解決するための手段】
【０００８】
本開示によれば、マルチレイヤＭＩＭＯ（Multi-Input  Multi-Output）のために使用可能な複数のサブアレイを示すサブアレイ情報を取得する取得部と、上記サブアレイ情報を端末装置に通知する制御部と、を備える装置が提供される。【０００９】
また、本開示によれば、マルチレイヤＭＩＭＯのために使用可能な複数のサブアレイを示すサブアレイ情報を取得する取得部と、上記複数のサブアレイに含まれる２つ以上のサブアレイの組合せに関する報告を行う制御部と、を備える装置が提供される。
【発明の効果】
【００１０】
以上説明したように本開示によれば、マルチレイヤＭＩＭＯのために望ましいサブアレイの組合せを使用することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】ラージスケールＭＩＭＯのビームフォーミング用の重みセットを説明するための説明図である。
【図２】重み係数の乗算とリファレンス信号の挿入との関係を説明するための説明図である。
【図３】本開示の実施形態に係るシステムの概略的な構成の一例を示す説明図である。
【図４】同実施形態に係る基地局の構成の一例を示すブロック図である。
【図５】同実施形態に係る端末装置の構成の一例を示すブロック図である。
【図６】アンテナポートの例を説明するための説明図である。
【図７】サブアレイの第１の例を説明するための説明図である。
【図８】サブアレイの第２の例を説明するための説明図である。
【図９】サブアレイの第３の例を説明するための説明図である。
【図１０】サブアレイの第４の例を説明するための説明図である。
【図１１】同実施形態において基地局が端末装置に通知する情報の一例を説明するための説明図である。
【図１２】同実施形態において端末装置が基地局に報告する報告情報の一例を説明するための説明図である。
【図１３】同実施形態に係る処理の概略的な流れの一例を示すシーケンス図である。
【図１４】同実施形態の第１の変形例において基地局が端末装置に通知する情報の一例を説明するための説明図である。
【図１５】同実施形態の第１の変形例において端末装置が基地局に報告する報告情報の一例を説明するための説明図である。
【図１６】同実施形態の第１の変形例において基地局が端末装置に通知する情報の他の例を説明するための説明図である。
【図１７】サブアレイのグループの第１の例を説明するための第１の説明図である。
【図１８】サブアレイのグループの第１の例を説明するための第２の説明図である。
【図１９】サブアレイのグループの第２の例を説明するための第１の説明図である。
【図２０】サブアレイのグループの第２の例を説明するための第２の説明図である。
【図２１】サブアレイのグループの第３の例を説明するための第１の説明図である。
【図２２】サブアレイのグループの第３の例を説明するための第２の説明図である。
【図２３】同実施形態の第２の変形例において基地局が端末装置に通知する情報の一例を説明するための説明図である。
【図２４】より少ないアンテナポートを含むサブアレイのセットの一例を説明するための説明図である。
【図２５】より多くのアンテナポートを含むサブアレイのセットの一例を説明するための説明図である。
【図２６】ｅＮＢの概略的な構成の第１の例を示すブロック図である。
【図２７】ｅＮＢの概略的な構成の第２の例を示すブロック図である。
【図２８】スマートフォンの概略的な構成の一例を示すブロック図である。
【図２９】カーナビゲーション装置の概略的な構成の一例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．はじめに
１．１．関連技術
１．２．技術的課題
２．システムの概略的な構成
３．各装置の構成
３．１．基地局の構成
３．２．端末装置の構成
４．技術的特徴
５．処理の流れ
６．変形例
６．１．第１の変形例
６．２．第２の変形例
６．３．第３の変形例
７．応用例
７．１．基地局に関する応用例
７．２．端末装置に関する応用例
８．まとめ
【００１４】
＜＜１．はじめに＞＞
まず、図１及び図２を参照して、本開示の実施形態に係る関連技術及び技術的特徴を説明する。
【００１５】
＜１．１．関連技術＞
図１及び図２を参照して、本開示の実施形態に係る関連技術として、ビームフォーミング及びアンテナポートを説明する。
【００１６】
（１）ビームフォーミング
（ａ）ラージスケールＭＩＭＯの必要性
現在、３ＧＰＰでは、爆発的に増加するトラフィックを収容するために、セルラーシステムの容量を向上するための様々な技術が検討されている。将来、現在の１０００倍程度の容量が必要とも言われている。ＭＵ−ＭＩＭＯ及びＣｏＭＰなどの技術では、セルラーシステムの容量は数倍程度しか増加しないと考えられる。そのため、画期的な手法が求められている。
【００１７】
３ＧＰＰのリリース１０では、ｅＮｏｄｅＢが８本のアンテナを搭載することが規格化されている。よって、当該アンテナによれば、ＳＵ−ＭＩＭＯ（Single-User  Multi-Input  Multiple-Input  Multiple-Output）の場合に８レイヤのＭＩＭＯを実現することができる。８レイヤのＭＩＭＯとは、独立な８つのストリームを空間的に多重する技術である。また、４ユーザに２レイヤのＭＵ−ＭＩＭＯを実現することもできる。
【００１８】
ＵＥ（User  Equipment）ではアンテナの配置のためのスペースが小さいこと、及びＵＥの処理能力には限界があることに起因して、ＵＥのアンテナのアンテナ素子を増やすことは難しい。しかし、近年のアンテナ実装技術の進歩により、１００個程度のアンテナ素子を含む指向性アンテナをｅＮｏｄｅＢに配置することは不可能ではなくなってきている。
【００１９】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。例えば、基地局よりも高い位置（例えば、高層ビルの上層階）に向けたビームを形成することにより、当該位置に存在する端末装置への信号を送信することが、提案されている。
【００２０】
典型的なビームフォーミングでは、水平方向でビームの方向を制御することが可能である。そのため、当該典型的なビームフォーミングは、２次元ビームフォーミングとも言える。一方、ラージスケールＭＩＭＯ（又はマッシブＭＩＭＯ）のビームフォーミングでは、水平方向に加えて垂直方向にもビームの方向を制御することが可能である。即ち、水平方向及び垂直方向の所望の指向性を有する３次元ビームを形成することができる。そのため、ラージスケールＭＩＭＯのビームフォーミングは、３次元ビームフォーミングとも言える。例えば、２次元に配置されたアンテナ素子を使用することにより、３次元ビームを形成することができる。
【００２１】
なお、アンテナ本数が増えるので、ＭＵ−ＭＩＭＯでのユーザ数を増やすことが可能になる。このような技術は、ラージスケールＭＩＭＯ又はマッシブＭＩＭＯと呼ばれる技術の別の形態である。なお、ＵＥのアンテナ数が２本である場合には、１つのＵＥについての空間的に独立したストリームの数は２本であるので、１つのＵＥについてのストリーム数を増やすよりも、ＭＵ−ＭＩＭＯのユーザ数を増やす方が合理的である。
【００２２】
（ｂ）重みセット
ビームフォーミング用の重みセット（即ち、複数のアンテナ素子のための重み係数のセット）は、複素数として表される。以下、図１を参照して、とりわけラージスケールＭＩＭＯのビームフォーミング用の重みセットの例を説明する。
【００２３】
図１は、ラージスケールＭＩＭＯのビームフォーミング用の重みセットを説明するための説明図である。図１を参照すると、格子状に配置されたアンテナ素子が示されている。また、アンテナ素子が配置された平面上の直行する２つの軸ｘ、ｙ、及び、当該平面に直行する１つの軸ｚも示されている。ここで、形成すべきビームの方向は、例えば、角度phi（ギリシャ文字）及び角度theta（ギリシャ文字）で表される。角度phi（ギリシャ文字）は、ビーム方向のうちのｘｙ平面の成分とｘ軸とのなす角度である。また、角度theta（ギリシャ文字）は、ビーム方向とｚ軸とのなす角度である。この場合に、例えば、ｘ軸方向においてｍ番目に配置され、ｙ軸方向においてｎ番目に配置されるアンテナ素子の重み係数Ｖｍ，ｎは、以下のように表され得る。
【００２４】
【数１】
2016152301.tif 000003
【００２５】
ｆは周波数であり、ｃは光速である。また、ｊは複素数における虚数単位である。また、ｄｘは、ｘ軸方向におけるアンテナ素子の間隔であり、ｄｙは、ｙ軸方向におけるアンテナ素子間の間隔である。なお、アンテナ素子の座標は、以下のように表される。
【００２６】
【数２】
2016152301.tif 000004
【００２７】
典型的なビームフォーミング（２次元ビームフォーミング）用の重みセットは、水平方向における指向性を得るための重みセットと、マルチレイヤＭＩＭＯ（例えば、デュアルレイヤＭＩＭＯ）の位相調整用の重みセット（例えば、異なる偏波に対応する２つのアンテナサブアレイ間の位相調整用の重みセット）とに分解され得る。一方、ラージスケールＭＩＭＯのビームフォーミング（３次元ビームフォーミング）用の重みセットは、水平方向における指向性を得るための第１の重みセットと、垂直方向における指向性を得るための第２の重みセットと、マルチレイヤＭＩＭＯ（例えば、デュアルレイヤＭＩＭＯ）の位相調整用の第３の重みセットとに分解され得る。例えば、当該第３の重みセットは、サブアレイ間の位相調整用の重みセットである。なお、シングルレイヤで送信される場合には、マルチレイヤＭＩＭＯ（例えば、デュアルレイヤＭＩＭＯ）の位相調整用の重みセットは含まれなくてもよい。
【００２８】
（ｃ）信号の受信
指向性ビームにより（over  a  directional  beam）送信される信号の復調（demodulation）のために、ｅＮＢ（evolved  Node  B）は、ダウンリンクにおいて、データ信号とともにＤＭＲＳ（Demodulation  Reference  Signal）を送信する。ＤＭＲＳは、ＵＥにとって既知のシーケンスであり、ビームフォーミングのための重み係数のセット（データ信号に乗算される重み係数のセットと同じもの）が乗算される。ＵＥは、ＤＭＲＳの受信結果に基づいて、データ信号の位相及び振幅を復元することにより、当該データ信号を復調し、復号する。
【００２９】
（ｄ）ＣＲＳ及びＣＳＩ−ＲＳとＤＭＲＳとの違い
ＬＴＥでは、ＤＭＲＳの他に、ＣＲＳ（Cell-specific  Reference  Signal）及びＣＳＩ−ＲＳ（Channel  State  Information  Reference  Signal）というリファレンス信号がある。ＣＲＳ及びＣＳＩ−ＲＳは、データ信号の復調のために使用されるわけではなく、主としてチャネル品質を測定するために使用される。具体的には、ＣＲＳは、セル選択のために使用され、ＣＳＩ−ＲＳは、変調方式の決定のために使用される。したがって、現行の規格によれば、ＣＲＳ及びＣＳＩ−ＲＳは、指向性ビームにより送信されず、無指向性の電波により送信される。
【００３０】
なお、指向性ビームによりＣＲＳ及び／又はＣＳＩ−ＲＳを送信することも考えられる。無指向性の電波によりＣＲＳ及び／又はＣＳＩ−ＲＳを送信するか、又は、指向性ビームによりＣＲＳ及び／又はＣＳＩ−ＲＳを送信するかは、その時々のシステムの設計思想による。
【００３１】
一方、ＤＭＲＳは、指向性ビームにより送信されるデータ信号の復調のために送信されるので、同様に当該指向性ビームにより送信される。
【００３２】
図２を参照して、リファレンス信号と重み係数の乗算の例を説明する。図２は、重み係数の乗算とリファレンス信号の挿入との関係を説明するための説明図である。図２を参照すると、各アンテナ素子８１に対応する送信信号８２は、乗算器８４において重み係数８３を複素乗算される。そして、重み係数８３を複素乗算された送信信号８２が、アンテナ素子８１から送信される。また、ＤＲ−ＭＳ８５は、乗算器８４の前に挿入され、乗算器８４において重み係数８３が複素乗算される。そして、重み係数８３が複素乗算されたＤＲ−ＭＳ８５が、アンテナ素子８１から送信される。一方、ＣＲＳ８６（及びＣＳＩ−ＲＳ）は、乗算器８４の後に挿入される。そして、ＣＲＳ８６（及びＣＳＩ−ＲＳ）は、重み係数８３を乗算されることなく、アンテナ素子８１から送信される。
【００３３】
（２）アンテナポート
（ａ）仮想的なアンテナ
ＬＴＥでは、物理的なアンテナ／アンテナ素子の代わりに、アンテナポートという仮想的なアンテナが用意されている。アンテナポートは１つ以上の物理的なアンテナ又はアンテナ素子に対応するが、アンテナポートが具体的にどのアンテナ／アンテナ素子に対応するかは実装に依存し、自由度がある。例えば、１つのアンテナポートが、１つのアンテナ（例えば、１つの通常のアンテナ又は１つのアレイアンテナ）に対応し得る。また、例えば、１つのアンテナポートが、アレイアンテナに含まれる１つのアンテナ素子（又は複数のアンテナ素子）に対応し得る。
【００３４】
（ｂ）アンテナポートに関連付けられているリソース
上述したように、例えば、複数のアンテナポートのために、互いに直交（orthogonal）する複数のリソースが用意され、ＤＭＲＳの送信に使用される。例えば、ｅＮＢは、第１のアンテナポート（例えば、アンテナポート１０）を使用して、第１のリソースにおいてＤＭＲＳを送信し、第２のアンテナポート（例えば、アンテナポート１１）を使用して、上記第１のリソースと直交する第２のリソースにおいてＤＭＲＳを送信する。
【００３５】
ここでの「リソース」とは、例えば、時間周波数リソースと符号系列との組合せであり、任意の１つのアンテナポートに関連付けられているリソースと、他のアンテナポートに関連付けられているリソースとは、互いに直交している。即ち、任意の１つのアンテナポートに関連付けられているリソースと、他のアンテナポートに関連付けられているリソースとは、時間周波数リソース及び符号系列の少なくとも一方が異なる。
【００３６】
（ｃ）直交するリソースを用意する理由
各アンテナポートには、空間的に異なる位置にあるアンテナ／アンテナ素子に対応するので、これにより、ｅＮＢとＵＥとの間に空間的に独立したチャネルが得られる。当該直交なチャネルを得る前段階で、リファレンス信号（例えば、ＣＳＩ−ＲＳ）に基づいてチャネル特性を推定する必要がある。当該リファレンス信号への干渉が発生するとチャネル特性を推定することが困難になるので、異なるアンテナポートを使用して送信されるリファレンス信号の間で干渉が発生しないように、アンテナポートごとに、直交するリソース（即ち、異なるリソース）が用意される。
【００３７】
例えば、ｅＮＢが６４のアンテナ（例えば、仮想的にも６４のアンテナポート）を有し、ＵＥも８つのアンテナを有する。この場合に、６４×８のチャネル行列Ｈが算出される。そして、チャネル行列Ｈの一般逆行列が算出され、当該一般逆行列を受信データに左辺から乗算することにより、空間的に独立した８つのチャネルが得られる。とりわけ、チャネル行列Ｈを適切に算出するために、６４のアンテナポートを使用して送信されるリファレンス信号の間で干渉が発生しないように、６４つのアンテナポートの各々に、直交するリソース（即ち、異なるリソース）が用意される。
【００３８】
（ｄ）チャネル状態情報の決定
ＵＥは、チャネル行列に基づいて、ＰＭＩ（Precoding  Matrix  Indicator）、ＲＩ（Rank  Indicator）及び／又はＣＱＩ（Channel  Quality  Indicator）を決定する。これらの情報は、チャネル状態情報（Channel  State  Information）と呼ばれる。ＵＥは、これらの情報をｅＮＢにフィードバックする。
【００３９】
＜１．２．技術的課題＞
３ＧＰＰの規格では、マルチレイヤＭＩＭＯ（即ち、２つ以上のレイヤでの端末装置への送信）のためのサブアレイは、一意に決められている。より具体的には、例えば、ｅＮＢは、８つのアンテナポート（アンテナポート１５−２２）を使用してＣＳＩ−ＲＳが送信し、２本のアンテナを有するＵＥは、ＣＳＩ−ＲＳに基づいて２×８のチャネル行列を取得する。そして、当該ＵＥは、当該チャネル行列に基づいて、プリコーディング行列を示すＰＭＩを決定する。この際に、ＵＥは、上記８つのアンテナポートを、４つのアンテナポートをそれぞれ含む２つのサブアレイとみなして、上記ＰＭＩを決定する。このように、サブアレイは、一意に決められている。
【００４０】
一方、ラージスケールＭＩＭＯのケースのように、アンテナ素子の増加に伴いアンテナポートが増加すると（例えば、６４のアンテナ素子及び６４のアンテナポート）、自由度が上がり、様々なサブアレイが構成され得る。さらに、サブアレイの様々な組合せがアレイアンテナシステムとして使用され得る。また、使用されることが望ましいサブアレイの組合せ（即ち、使用されることが望ましいアレイアンテナシステム）は、端末装置によって異なり得る。それにもかかわらず、従来のようにサブアレイが一意に決められると、マルチレイヤＭＩＭＯにおいて端末装置にとっての望ましくないサブアレイが使用され得る。その結果、端末装置の通信速度又は通信品質などが低下し得る。
【００４１】
そこで、マルチレイヤＭＩＭＯのために望ましいサブアレイの組合せを使用することを可能にする仕組みが提供されることが望ましい。
【００４２】
＜＜２．システムの概略的な構成＞＞
続いて、図３を参照して、本開示の実施形態に係るシステム１の概略的な構成を説明する。図３は、本開示の実施形態に係るシステム１の概略的な構成の一例を示す説明図である。図３を参照すると、システム１は、基地局１００及び端末装置２００を含む。システム１は、例えば、ＬＴＥ、ＬＴＥ−Ａｄｖａｎｃｅｄ、又はこれらに準ずる通信規格に準拠したシステムである。
【００４３】
（１）基地局１００
基地局１００は、端末装置２００との無線通信を行う。例えば、基地局１００は、基地局１００のセル１０１内に位置する端末装置２００との無線通信を行う。
【００４４】
とりわけ本開示の実施形態では、基地局１００は、マルチレイヤＭＩＭＯをサポートする。即ち、基地局１００は、２つ以上のレイヤで端末装置２００へ信号を送信する。基地局１００は、当該２つ以上のレイヤでの送信のために、当該２つ以上のレイヤのレイヤ数と同数の（又は当該レイヤ数よりも多くの）サブアレイの組合せであるアレイアンテナシステムを使用する。
【００４５】
例えば、基地局１００は、指向性アンテナを有し、マルチレイヤＭＩＭＯとして、マルチレイヤビームフォーミングを行う。即ち、基地局１００は、２つ以上のレイヤで、指向性ビームにより端末装置２００へ信号を送信する。
【００４６】
また、例えば、基地局１００は、多数のアンテナ素子を有する指向性アンテナを有し、ラージスケールＭＩＭＯ（換言すると、マッシブＭＩＭＯ又はＦＤ−ＭＩＭＯなど）をサポートする。例えば、基地局１００は、ラージスケールＭＩＭＯのビームフォーミング（換言すると、マッシブＭＩＭＯ若しくはＦＤ−ＭＩＭＯのビームフォーミング、又は３次元ビームフォーミング）として、水平方向及び垂直方向の両方の指向性を有する指向性ビーム（即ち、３次元ビーム）により端末装置２００へ信号を送信する。
【００４７】
（２）端末装置２００
端末装置２００は、基地局１００との無線通信を行う。例えば、端末装置２００は、基地局１００のセル１０１内に位置する場合に、基地局１００との無線通信を行う。
【００４８】
とりわけ本開示の実施形態では、端末装置２００は、マルチレイヤＭＩＭＯをサポートする。即ち、端末装置２００は、２つ以上のレイヤで基地局１００から信号を送信する。
【００４９】
＜＜３．各装置の構成＞＞
続いて、図４及び図５を参照して、基地局１００及び端末装置２００の構成の例を説明する。
【００５０】
＜３．１．基地局の構成＞
まず、図４を参照して、本開示の実施形態に係る基地局１００の構成の一例を説明する。図４は、本開示の実施形態に係る基地局１００の構成の一例を示すブロック図である。図４を参照すると、基地局１００は、アンテナ部１１０、無線通信部１２０、ネットワーク通信部１３０、記憶部１４０及び処理部１５０を備える。
【００５１】
（１）アンテナ部１１０
アンテナ部１１０は、無線通信部１２０により出力された信号を電波として空間に放射する。また、アンテナ部１１０は、空間の電波を信号に変換し、当該信号を無線通信部１２０へ出力する。
【００５２】
例えば、アンテナ部１１０は、指向性アンテナを含む。例えば、当該指向性アンテナは、ラージスケールＭＩＭＯに使用可能な指向性アンテナ（例えば、多数のアンテナ素子を含む指向性アンテナ）である。
【００５３】
（２）無線通信部１２０
無線通信部１２０は、信号を送受信する。例えば、無線通信部１２０は、端末装置２００へのダウンリンク信号を送信し、端末装置２００からのアップリンク信号を受信する。
【００５４】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００５５】
（４）記憶部１４０
記憶部１４０は、基地局１００の動作のためのプログラム及びデータを記憶する。
【００５６】
（５）処理部１５０
処理部１５０は、基地局１００の様々な機能を提供する。処理部１５０は、情報取得部１５１及び制御部１５３を含む。なお、処理部１５０は、これらの構成要素以外の他の構成要素をさらに含み得る。即ち、処理部１５０は、これらの構成要素の動作以外の動作も行い得る。
【００５７】
情報取得部１５１及び制御部１５３の具体的な動作は、後に詳細に説明する。
【００５８】
＜３．２．端末装置の構成＞
次に、図５を参照して、本開示の実施形態に係る端末装置２００の構成の一例を説明する。図５は、本開示の実施形態に係る端末装置２００の構成の一例を示すブロック図である。図５を参照すると、端末装置２００は、アンテナ部２１０、無線通信部２２０、記憶部２３０及び処理部２４０を備える。
【００５９】
（１）アンテナ部２１０
アンテナ部２１０は、無線通信部２２０により出力された信号を電波として空間に放射する。また、アンテナ部２１０は、空間の電波を信号に変換し、当該信号を無線通信部２２０へ出力する。
【００６０】
（２）無線通信部２２０
無線通信部２２０は、信号を送受信する。例えば、無線通信部２２０は、基地局１００からのダウンリンク信号を受信し、基地局１００へのアップリンク信号を送信する。
【００６１】
（３）記憶部２３０
記憶部２３０は、端末装置２００の動作のためのプログラム及びデータを記憶する。
【００６２】
（４）処理部２４０
処理部２４０は、端末装置２００の様々な機能を提供する。処理部２４０は、情報取得部２４１及び制御部２４３を含む。なお、処理部２４０は、これらの構成要素以外の他の構成要素をさらに含み得る。即ち、処理部２４０は、これらの構成要素の動作以外の動作も行い得る。
【００６３】
情報取得部２４１及び制御部２４３の具体的な動作は、後に詳細に説明する。
【００６４】
＜＜４．技術的特徴＞＞
続いて、図６〜図１２を参照して、本開示の実施形態に係る技術的特徴を説明する。
【００６５】
（１）サブアレイ情報の通知
基地局１００（情報取得部１５１）は、マルチレイヤＭＩＭＯのために使用可能な複数のサブアレイを示すサブアレイ情報を取得する。そして、基地局１００（制御部１５３）は、上記サブアレイ情報を端末装置に通知する。
【００６６】
（ａ）サブアレイ
例えば、上記複数のサブアレイの各々は、１つ以上のアンテナポートを含む。また、例えば、各アンテナポートは、１つ以上の物理的なアンテナ素子に対応する仮想的なアンテナである。以下、図６〜図８を参照して、アンテナポート及びサブアレイの例を説明する。
【００６７】
図６は、アンテナポートの例を説明するための説明図である。図６を参照すると、水平方向及び垂直方向の各々に８つのアンテナ素子が並ぶ８×８の指向性アンテナが示されている。即ち、６４のアンテナ素子を有する指向性アンテナが示さている。例えば、基地局１００は、当該指向性アンテナを有する。とりわけこの例では、アンテナポートは、１つのアンテナ素子に対応する。そのため、基地局１００は、６４のアンテナポートを有する。
【００６８】
図７は、サブアレイの第１の例を説明するための説明図である。図７を参照すると、図６と同様に、８×８の指向性アンテナが示されている。例えば、サブアレイとして、垂直方向に並ぶ８つのアンテナポート（８つのアンテナ素子）をそれぞれ含むサブアレイ３０１、３０３が用意される。上記複数のサブアレイは、このようなサブアレイ３０１、３０３を含み得る。
【００６９】
図８は、サブアレイの第２の例を説明するための説明図である。図８を参照すると、図６と同様に、８×８の指向性アンテナが示されている。例えば、サブアレイとして、水平方向に並ぶ８つのアンテナポート（８つのアンテナ素子）をそれぞれ含むサブアレイ３１１、３１３、３１５が用意される。上記複数のサブアレイは、このようなサブアレイ３１１、３１３、３１５を含み得る。
【００７０】
なお、上記複数のサブアレイは、１つ以上のアンテナポートを共通に含む２つ以上のサブアレイを含んでもよい。これにより、例えば、サブアレイの自由度が高まり得る。以下、図９及び図１０を参照して、このようなサブアレイの例を説明する。
【００７１】
図９は、サブアレイの第３の例を説明するための説明図である。図９を参照すると、８×８の指向性アンテナが示されている。例えば、サブアレイとして、水平方向に並ぶ８つのアンテナポート（８つのアンテナ素子）を含むサブアレイ３２１と、垂直方向に並ぶ８つのアンテナポート（８つのアンテナ素子）を含むサブアレイ３２３とが、用意される。サブアレイ３２１及びサブアレイ３２３は、１つのアンテナポート（１つのアンテナ素子）を共通に含む。上記複数のサブアレイは、このようなサブアレイ３２１、３２３を含み得る。
【００７２】
図１０は、サブアレイの第４の例を説明するための説明図である。図１０を参照すると、８×８の指向性アンテナが示されている。例えば、サブアレイとして、水平方向及び垂直方向の各々に７つのアンテナポート（アンテナ素子）が並ぶ７×７のサブアレイ３３１、３３３が用意される。サブアレイ３３１及びサブアレイ３３３は、３６のアンテナポート（３６のアンテナ素子）を共通に含む。上記複数のサブアレイは、このようなサブアレイ３３１、３３３を含み得る。
【００７３】
（ｂ）サブアレイ情報の内容
例えば、上記サブアレイ情報は、上記複数のサブアレイの各々に含まれるアンテナポートを示す情報を含む。より具体的には、例えば、上記サブアレイ情報は、上記複数のサブアレイの各々に含まれるアンテナポートのポート番号を含む。
【００７４】
なお、上記サブアレイ情報は、上記複数のサブアレイの各々を識別するための識別情報を含んでもよい。より具体的には、上記サブアレイ情報は、上記複数のサブアレイの各々のサブアレイ番号を含んでもよい。
【００７５】
（ｃ）通知手法
（ｃ−１）シグナリング
例えば、基地局１００（制御部１５３）は、端末装置２００へのシグナリング（例えば、ＲＲＣ（Radio  Resource  Control）シグナリング）により、上記サブアレイ情報を端末装置２００に通知する。より具体的には、例えば、基地局１００（制御部１５３）は、シグナリングメッセージ（例えば、ＲＲＣ（Radio  Resource  Control）メッセージ）の中で、上記サブアレイ情報を端末装置２００に通知する。
【００７６】
具体的な処理として、例えば、制御部１５３は、上記サブアレイ情報を含むシグナリングメッセージを生成する。そして、処理部１５０（例えば、制御部１５３）は、当該シグナリングメッセージの送信処理を行う。
【００７７】
（ｃ−２）システム情報
あるいは、基地局１００（制御部１５３）は、システム情報（例えば、ＳＩＢ（System  Information  Block））の中で、上記サブアレイ情報を端末装置２００に通知する。
【００７８】
具体的な処理として、例えば、制御部１５３は、上記サブアレイ情報を含むシステム情報を生成する。そして、処理部１５０（例えば、制御部１５３）は、当該システム情報の送信処理を行う。
【００７９】
（２）他の情報の通知
（ａ）第１の数情報
例えば、基地局１００（情報取得部１５１）は、マルチレイヤＭＩＭＯのために組み合わせられるサブアレイの数を示す第１の数情報を取得する。そして、基地局１００（制御部１５３）は、上記第１の数情報を端末装置２００に通知する。
【００８０】
例えば、基地局１００は、マルチレイヤＭＩＭＯのためにアレイアンテナシステムを使用し、当該アレイアンテナシステムは、２つ以上のサブアレイの組合せである。そのため、マルチレイヤＭＩＭＯのために組み合わせられるサブアレイの数（例えば、Ｍ）は、マルチレイヤＭＩＭＯのために使用されるアレイアンテナシステムに含まれるサブアレイの数である。また、上記第１の数情報は、当該アレイアンテナシステムに含まれるサブアレイの数（例えば、Ｍ）を示す情報である。
【００８１】
これにより、例えば、端末装置２００は、マルチレイヤＭＩＭＯのために使用され得るサブアレイの組合せを選択することが可能になる。
【００８２】
（ｂ）第２の数情報
後述するように、端末装置２００は、上記複数のサブアレイに含まれる２つ以上のサブアレイの組合せに関する報告を行う。例えば、基地局１００（情報取得部１５１）は、報告の対象とするサブアレイの組合せの数を示す第２の数情報を取得する。そして、基地局１００（制御部１５３）は、上記第２の数情報を端末装置２００に通知する。例えば、上記組合せの上記数は、サブアレイの全ての組合せの数よりも小さい。
【００８３】
これにより、例えば、端末装置２００による報告に要する無線リソースが抑えられる。
【００８４】
（ｃ）第３の数情報
例えば、基地局１００（情報取得部１５１）は、上記複数のサブアレイに含まれるサブアレイの数を示す第３の数情報を取得する。そして、基地局１００（制御部１５３）は、上記第３の数情報を端末装置２００に通知する。
【００８５】
（ｄ）通知手法
例えば、基地局１００（制御部１５３）は、上記サブアレイ情報と同様に、上記第１の数情報、上記第２の数情報及び／又は上記第３の数情報を端末装置２００に通知する。より具体的には、例えば、基地局１００（制御部１５３）は、端末装置２００へのシグナリングにより、又は、システム情報の中で、上記第１の数情報、上記第２の数情報及び／又は上記第３の数情報を端末装置２００に通知する。
【００８６】
（３）基地局が端末装置に通知する情報の具体例
図１１は、本開示の実施形態において基地局１００が端末装置２００に通知する情報の一例を説明するための説明図である。図１１を参照すると、基地局１００が端末装置２００に通知する情報であるサブアレイコンフィギュレーション３０が示されている。この例では、サブアレイコンフィギュレーション３０は、サブアレイ情報３１、第１の数情報３３、第２の数情報３４及び第３の数情報３５を含む。サブアレイ情報３１は、マルチレイヤＭＩＭＯのために使用可能なＮ個のサブアレイ（サブアレイ１〜Ｎ）の各々に含まれるアンテナポートを示す。例えば、サブアレイ１はアンテナポート１〜８を含み、サブアレイ２はアンテナポート９〜１６を含む。第１の数情報３３は、マルチレイヤＭＩＭＯのために組み合わせられるサブアレイの数Ｍ（即ち、アレイアンテナシステムに含まれるサブアレイの数Ｍ）を示す。第２の数情報３４は、報告の対象とするサブアレイの組合せの数Ｌを示す。第３の数情報３５は、サブアレイの総数Ｎを示す。
【００８７】
（４）サブアレイ候補の組合せに関する報告
端末装置２００（情報取得部２４１）は、上記サブアレイ情報を取得する。そして、端末装置２００（制御部２４３）は、上記複数のサブアレイに含まれる２つ以上のサブアレイの組合せに関する報告を行う。
【００８８】
（ａ）報告の例
（ａ−１）サブアレイの組合せの報告
例えば、端末装置２００（制御部２４３）は、上記複数のサブアレイの中から、マルチレイヤＭＩＭＯに望ましい２つ以上のサブアレイの組合せを選択し、上記報告は、マルチレイヤＭＩＭＯに望ましい当該２つ以上のサブアレイの上記組合せの報告を含む。上記組合せは、換言すると、マルチレイヤＭＩＭＯに望ましいアレイアンテナシステムである。
【００８９】
−サブアレイの組合せの選択
例えば、端末装置２００（制御部２４３）は、基地局１００により送信されるリファレンス信号（例えば、ＣＳＩ−ＲＳ）に基づいてチャネル推定を行う。具体的には、例えば、基地局１００は、６４のアンテナポートを有し、端末装置２００が、８つのアンテナを有する。この場合に、基地局１００は、アンテナポートごとにリファレンス信号を送信し、端末装置２００は、６４×８のチャネル行列を算出する。
【００９０】
さらに、例えば、端末装置２００（制御部２４３）は、上記チャネル推定の結果（即ち、上記チャネル行列）に基づいて、サブアレイの組合せごとのＰＭＩ、ＲＩ及び／又はＣＱＩなどを決定する。そして、例えば、端末装置２００（制御部２４３）は、サブアレイの組合せごとのＰＭＩ、ＲＩ及び／又はＣＱＩに基づいて、マルチレイヤＭＩＭＯに望ましいサブアレイの組合せを選択する。一例として、端末装置２００（制御部２４３）は、より大きいＲＩを伴うサブアレイの組合せを、マルチレイヤＭＩＭＯに望ましいサブアレイの組合せとして選択する。
【００９１】
−サブアレイの組合せの報告
例えば、端末装置２００（制御部２４３）は、上記２つ以上のサブアレイの上記組合せ（即ち、アレイアンテナシステム）を示す組合せ情報を基地局１００に報告する。
【００９２】
これにより、例えば、基地局１００は、端末装置２００にとっての望ましいサブアレイの組合せを知ることが可能になる。
【００９３】
（ａ−２）重みセットの報告
例えば、上記報告は、上記２つ以上のサブアレイの上記組合せについての重みセットの報告を含む。例えば、当該重みセットは、上記２つ以上のサブアレイ間の位相を調整するための重みセットを含む。
【００９４】
−重みセットの決定
例えば、基地局１００は、上記チャネル推定の結果（即ち、上記チャネル行列）に基づいて、サブアレイの組合せごとのＰＭＩ（即ち、重みセットであるプリコーディング行列を示すインジケータ）を決定する。より具体的には、例えば、基地局１００は、サブアレイの組合せごとに、指向性を得るための重みセットのＰＭＩ、及び／又は、サブアレイ間の位相を調整するための重みセットのＰＭＩを決定する。
【００９５】
基地局１００は、指向性を得るための重みセットのＰＭＩとして、水平方向の指向性を得るための重みセットのＰＭＩ、及び垂直方向の指向性を得るための重みセットのＰＭＩのうちの、一方又は両方を決定する。あるいは、基地局１００は、指向性を得るための重みセットのＰＭＩとして、水平方向及び垂直方向の両方の指向性を得るための重みセットのＰＭＩを決定してもよい。
【００９６】
−重みセットの報告
例えば、端末装置２００（制御部２４３）は、上記２つ以上のサブアレイの上記組合せについての上記重みセットを示す重み情報を基地局１００に報告する。例えば、当該重み情報は、ＰＭＩである。より具体的には、例えば、当該重み情報は、指向性を得るための重みセットのＰＭＩ、及び／又は、サブアレイ間の位相を調整するための重みセットのＰＭＩである。
【００９７】
これにより、例えば、基地局１００は、サブアレイの組合せに適用すべき重みセットを知ることが可能になる。
【００９８】
（ａ−３）レイヤ数の報告
例えば、上記報告は、上記２つ以上のサブアレイの組合せについてのレイヤ数の報告を含む。
【００９９】
−レイヤ数の決定
例えば、基地局１００は、上記チャネル推定の結果（即ち、上記チャネル行列）に基づいて、サブアレイの組合せごとのＲＩ（即ち、レイヤ数を示すインジケータ）を決定する。
【０１００】
−レイヤ数の報告
例えば、端末装置２００（制御部２４３）は、上記２つ以上のサブアレイについての上記レイヤ数を示すレイヤ数情報を基地局１００に報告する。例えば、当該レイヤ数情報は、ＲＩである。
【０１０１】
これにより、例えば、基地局１００は、サブアレイの組合せに適用可能なレイヤ数を知ることが可能になる。
【０１０２】
（ａ−４）チャネル状態の報告
例えば、上記報告は、上記２つ以上のサブアレイの上記組合せについてのチャネル品質の報告を含む。
【０１０３】
−チャネル品質の決定
例えば、基地局１００は、上記チャネル推定の結果（即ち、上記チャネル行列）に基づいて、サブアレイの組合せごとのＣＱＩ（即ち、チャネル品質を示すインジケータ）を決定する。
【０１０４】
−チャネル品質の報告
例えば、端末装置２００（制御部２４３）は、上記２つ以上のサブアレイについての上記チャネル品質を示すチャネル品質情報を基地局１００に報告する。例えば、当該チャネル品質情報は、ＣＱＩである。
【０１０５】
これにより、例えば、基地局１００は、サブアレイの組合せについてのチャネル品質を知ることが可能になる。
【０１０６】
（ｂ）報告情報の具体例
図１２は、本開示の実施形態において端末装置２００が基地局１００に報告する報告情報の一例を説明するための説明図である。図１２を参照すると、端末装置２００が基地局１００に報告する報告情報５０が示されている。この例では、報告情報５０は、マルチレイヤＭＩＭＯに望ましいサブアレイの組合せ（即ち、アレイアンテナシステム）を示す組合せ情報５１を含む。より具体的には、報告情報５０は、Ｌ個のアレイアンテナシステム（即ち、Ｌ個の組合せ）の各々の組合せ情報５１を含む。例えば、１つめ目のアレイアンテナシステムはサブアレイ１、２を含み、２つめ目のアレイアンテナシステムはサブアレイ１、３、５、８を含み、Ｌ個目のアレイアンテナシステムはサブアレイ４、６を含む。また、報告情報５０は、サブアレイの組合せ（即ち、アレイアンテナシステム）についての重み情報（ＰＭＩ）、レイヤ数情報（ＲＩ）及びチャネル品質情報（ＣＱＩ）を含むチャネル状態情報５３を含む。具体的には、報告情報５０は、Ｌ個のアレイアンテナシステム（即ち、Ｌ個の組合せ）の各々のチャネル状態情報５３を含む。
【０１０７】
なお、端末装置２００は、アレイアンテナシステム（即ち、サブアレイの組合せ）ごとの報告情報を基地局１００に報告してもよい。
【０１０８】
（ｃ）具体的な処理
具体的な処理として、例えば、制御部２４３は、報告情報を生成する。そして、処理部２４０（例えば、制御部２４３）は、当該報告情報の送信処理を行う。
【０１０９】
（５）サブアレイ候補の組合せの決定
例えば、基地局１００（制御部１５３）は、端末装置２００により行われる上記報告に基づいて、端末装置２００についてのマルチレイヤＭＩＭＯのために使用される２つ以上のサブアレイの組合せを決定する。即ち、基地局１００（制御部１５３）は、端末装置２００についてのマルチレイヤＭＩＭＯのために使用されるアレイアンテナシステムを決定する。
【０１１０】
より具体的には、例えば、基地局１００（制御部１５３）は、端末装置２００により報告される報告情報に基づいて、上記アレイアンテナシステム（即ち、上記２つ以上のサブアレイの上記組合せ）を決定する。一例として、基地局１００（制御部１５３）は、より多くのレイヤでの送信を可能にするアレイアンテナシステム（即ち、より大きいＲＩを伴うアレイアンテナシステム）を決定する。
【０１１１】
なお、例えば、上記アレイアンテナシステム（即ち、上記２つ以上のサブアレイの上記組合せ）は、１つ以上のアンテナポートを共通に含む所定数超のサブアレイを含まない。これにより、例えば、アンテナ素子のＰＡ（Power  Amplifier）の最大送信電力を超える電力が割当てられてしまうことを回避することが可能になる。
【０１１２】
（６）マルチレイヤＭＩＭＯの送受信
基地局１００は、決定された上記サブアレイの上記組合せ（即ち、決定された上記アレイアンテナシステム）を使用して、２つ以上のレイヤで端末装置２００への信号を送信する。また、端末装置２００は、上記２つ以上のレイヤで基地局１００からの信号を受信する。
【０１１３】
以上、本開示の実施形態に係る技術的特徴を説明した。本開示の実施形態によれば、基地局１００は、上記複数のサブアレイを示す上記サブアレイ情報を端末装置２００に通知し、端末装置２００は、上記複数のサブアレイに含まれる２つ以上のサブアレイの組合せ（即ち、アンテナアレイシステム）に関する報告を行う。これにより、例えば、マルチレイヤＭＩＭＯのために望ましいサブアレイの組合せを使用することが可能になる。
【０１１４】
＜＜５．処理の流れ＞＞
続いて、図１３を参照して、本開示の実施形態に係る処理の例を説明する。図１３は、本開示の実施形態に係る処理の概略的な流れの一例を示すシーケンス図である。
【０１１５】
基地局１００は、サブアレイコンフィギュレーションを端末装置２００に通知する（Ｓ４０１）。例えば、当該サブアレイコンフィギュレーションは、サブアレイ情報、第１の数情報、第２の数情報及び第３の数情報を含む。当該サブアレイ情報は、マルチレイヤＭＩＭＯのために使用可能な複数のサブアレイを示す情報である。上記第１の数情報は、マルチレイヤＭＩＭＯのために組み合わせられるサブアレイの数（例えば、Ｍ）を示す。上記第２の数情報は、報告の対象とするサブアレイの組合せの数（例えば、Ｌ）を示す。上記第３の数情報は、上記複数のサブアレイに含まれるサブアレイの数（例えば、Ｎ）を示す。
【０１１６】
基地局１００は、ＣＳＩ−ＲＳを送信する（Ｓ４０３）。
【０１１７】
端末装置２００は、基地局１００により送信されるＣＳＩ−ＲＳに基づいて、チャネル推定を実行する（Ｓ４０５）。即ち、端末装置２００は、チャネル行列を算出する。そして、端末装置２００は、推定された上記チャネル（即ち、算出された上記チャネル行列）に基づいて、サブアレイの組合せごとの（即ち、アレイアンテナシステムごとの）ＰＭＩ、ＲＩ及びＣＱＩを決定する（Ｓ４０７）。
【０１１８】
端末装置２００（制御部２４３）は、上記複数のサブアレイに含まれる２つ以上のサブアレイの組合せに関する報告を行う（Ｓ４０９）。具体的には、例えば、端末装置２００（制御部２４３）は、報告情報を基地局１００に報告する。例えば、当該報告情報は、組合せ情報及びチャネル状態情報を含む。上記組合せ情報は、マルチレイヤＭＩＭＯに望ましいサブアレイの組合せ（即ち、アンテナアレイシステム）を示す。上記チャネル状態情報は、当該サブアレイの当該組合せについての重み情報（ＰＭＩ）、レイヤ数情報（ＲＩ）及び／又はチャネル品質情報（ＣＱＩ）を含む。
【０１１９】
基地局１００は、上記報告情報に基づいて、端末装置２００についてのマルチレイヤＭＩＭＯのために使用される２つ以上のサブアレイの組合せを決定する（Ｓ４１１）。
【０１２０】
＜＜６．変形例＞＞
続いて、図１４〜図２１を参照して、本開示の実施形態に係る第１〜第３の変形例を説明する。
【０１２１】
＜６．１．第１の変形例＞
まず、図１４〜図１６を参照して、本開示の実施形態に係る第１の変形例を説明する。
【０１２２】
（１）組合せ候補情報の通知
第１の変形例によれば、基地局１００（情報取得部１５１）は、上記複数のサブアレイに含まれる２つ以上のサブアレイの１つ以上の組合せ候補（即ち、１つ以上のアレイアンテナシステム候補）を示す組合せ候補情報を取得する。そして、基地局１００（制御部１５３）は、上記組合せ候補情報を端末装置２００に通知する。
【０１２３】
（ａ）サブアレイの組合せ候補
一例として、上記１つ以上の組合せ候補の各々は、水平方向に並ぶアンテナポートのみを含むサブアレイの組合せであってもよい。別の例として、上記１つ以上の組合せ候補の各々は、垂直方向に並ぶアンテナポートのみを含むサブアレイの組合せであってもよい。さらに別の例として、上記１つ以上の組合せ候補の各々は、水平方向及び垂直両方に広がるアンテナポートを含むサブアレイの組合せであってもよい。
【０１２４】
（ｂ）サブアレイ情報の内容
例えば、上記組合せ候補情報は、上記１つ以上の組合せ候補（即ち、上記１つ以上のアレイアンテナシステム候補）の各々に含まれるサブアレイを示す情報を含む。より具体的には、例えば、上記組合せ候補情報は、上記１つ以上の組合せ候補の各々に含まれるサブアレイのサブアレイ番号を含む。
【０１２５】
なお、上記組合せ候補情報は、上記１つ以上の組合せ候補（即ち、上記１つ以上のアレイアンテナシステム候補）の各々を識別するための識別情報を含んでもよい。より具体的には、上記サブアレイ情報は、上記１つ以上の組合せ候補の各々の組合せ候補番号（又は上記１つ以上のアレイアンテナシステム候補の各々のアレイアンテナシステム番号）を含んでもよい。
【０１２６】
（ｃ）通知手法
例えば、基地局１００（制御部１５３）は、上記サブアレイ情報と同様に、上記組合せ候補情報を端末装置２００に通知する。より具体的には、例えば、基地局１００（制御部１５３）は、端末装置２００へのシグナリングにより、又は、システム情報の中で、上記組合せ候補情報を端末装置２００に通知する。
【０１２７】
（２）基地局が端末装置に通知する情報の具体例
図１４は、本開示の実施形態の第１の変形例において基地局１００が端末装置２００に通知する情報の一例を説明するための説明図である。図１４を参照すると、基地局１００が端末装置２００に通知する情報であるサブアレイコンフィギュレーション３０が示されている。この例では、サブアレイコンフィギュレーション３０は、サブアレイ情報３１及び組合せ候補情報３７を含む。図１１の例と同様に、サブアレイ情報３１は、マルチレイヤＭＩＭＯのために使用可能なＮ個のサブアレイ（サブアレイ１〜Ｎ）の各々に含まれるアンテナポートを示す。とりわけ、組合せ候補情報３７は、Ｎ個のサブアレイに含まれるサブアレイのＬ個の組合せ候補を示す。組合せ候補１はサブアレイ１、２を含み、組合せ候補２はサブアレイ１、３、５、８を含み、組合せ候補Ｌはサブアレイ４、６を含む。
【０１２８】
（３）サブアレイ候補の組合せに関する報告
上述したように、端末装置２００（制御部２４３）は、上記複数のサブアレイに含まれる２つ以上のサブアレイの組合せに関する報告を行う。
【０１２９】
とりわけ、第１の変形例では、端末装置２００（情報取得部２４１）は、上記組合せ候補情報を取得する。そして、上記報告は、上記１つ以上の組合せ候補に含まれる組合せに関する報告である。例えば、上記報告は、上記１つ以上の組合せ候補の各々のチャネル状態情報の報告である。あるいは、端末装置２００（制御部２４３）は、上記１つ以上の組合せ候補の中から、マルチレイヤＭＩＭＯに望ましいサブアレイの組合せを選択してもよく、上記報告は、当該望ましいサブアレイの組合せの報告であってもよい。以下、図１５を参照して、端末装置２００が基地局１００に報告する報告情報の例を説明する。
【０１３０】
図１５は、本開示の実施形態の第１の変形例において端末装置２００が基地局１００に報告する報告情報の一例を説明するための説明図である。図１５を参照すると、端末装置２００が基地局１００に報告する報告情報５０が示されている。この例では、報告情報５０は、（図１４に示されるような）基地局１００が端末装置２００に通知した組合せ候補情報３７により示される、サブアレイのＬ個の組合せ候補についての、チャネル状態情報５３を含む。チャネル状態情報５３は、重み情報（ＰＭＩ）、レイヤ数情報（ＲＩ）及びチャネル品質情報（ＣＱＩ）を含む。
【０１３１】
（４）優先度情報
上記組合せ候補情報は、上記複数のサブアレイに含まれる２つ以上のサブアレイの２つ以上の組合せ候補を示してもよい。基地局１００（情報取得部１５１）は、上記２つ以上の組合せ候補の優先順位を示す優先順位情報を取得してもよい。そして、基地局１００（制御部１５３）は、上記優先順位情報を上記端末装置に通知してもよい。
【０１３２】
一方、端末装置２００（情報取得部２４１）は、上記優先順位情報を取得してもよい。そして、端末装置２００（制御部２４３）は、上記優先順位情報に基づいて、上記２つ以上の組合せ候補に含まれる組合せに関する報告を行ってもよい。
【０１３３】
図１６は、本開示の実施形態の第１の変形例において基地局１００が端末装置２００に通知する情報の他の例を説明するための説明図である。図１６を参照すると、基地局１００が端末装置２００に通知する情報であるサブアレイコンフィギュレーション３０が示されている。この例では、サブアレイコンフィギュレーション３０は、サブアレイ情報３１、組合せ候補情報３７及び優先順位情報３９を含む。とりわけ、優先順位情報３９は、Ｌ個の組合せ候補の優先順位を示す。例えば、当該優先順位において、組合せ候補２が１番目であり、組合せ候補４が最後である。
【０１３４】
以上のように、第１の変形例によれば、基地局１００（制御部１５３）は、上記１つ以上の組合せ候補を示す上記組合せ候補情報を、端末装置２００に通知する。そして、端末装置２００（制御部２４３）は、上記１つ以上の組合せ候補に含まれる組合せに関する報告を行う。これにより、例えば、端末装置２００にとっての負荷がより小さくなる。より具体的には、例えば、端末装置２００は、サブアレイの全ての組合せ（ＮＣＭ個の組合せ）ではなく、限定された組合せについてのＰＭＩ、ＲＩ及び／又はＣＱＩなどを決定すればよいので、端末装置２００にとっての負荷がより小さくなる。なお、Ｎはサブアレイの総数であり、Ｍはアンテナアレイシステムに含まれるサブアレイの数である。
【０１３５】
＜６．２．第２の変形例＞
次に、図１７〜図１９を参照して、本開示の実施形態に係る第２の変形例を説明する。
【０１３６】
（１）グループ情報の通知
第２の変形例によれば、基地局１００（情報取得部１５１）は、上記複数のサブアレイのうちの、マルチレイヤＭＩＭＯにおいて同一の放射方向への指向性ビームを形成する２つ以上のサブアレイのグループを示すグループ情報を取得する。そして、基地局１００（制御部１５３）は、上記グループ情報を端末装置２００に通知する。
【０１３７】
（ａ）サブアレイのグループ
第２の変形例によれば、マルチレイヤＭＩＭＯにおいて同一の放射方向への指向性ビームを形成する２つ以上のサブアレイが、同一のグループに属する。換言すると、マルチレイヤＭＩＭＯにおいて同一の重みセットが適用される２つ以上のサブアレイが、同一のグループに属する。以下、図１７〜図２２を参照して、サブアレイのグループの例を説明する。
【０１３８】
（ａ−１）第１の例
図１７及び図１８は、サブアレイのグループの第１の例を説明するための説明図である。
【０１３９】
図１７を参照すると、８×８の指向性アンテナが示されている。例えば、サブアレイとして、垂直方向に並ぶ８つのアンテナポートをそれぞれ含むサブアレイ３４１、３４２と、水平方向に並ぶ８つのアンテナポートをそれぞれ含むサブアレイ３４３、３４４と、水平方向及び垂直方向の各々に３つのアンテナポートが並ぶ３×３のサブアレイ３４５、３４６とが用意される。この例では、サブアレイ３４１、３４２が１つのグループに属し、サブアレイ３４３、３４４が別のグループに属し、サブアレイ３４５、３４６がさらに別のグループに属する。
【０１４０】
図１８を参照すると、サブアレイ番号とグループ番号とが示されている。サブアレイ３４１〜３４６のサブアレイ番号は、それぞれ１〜６である。サブアレイ番号が１、２であるサブアレイ３４１、３４２は、グループ番号が１であるグループに属する。サブアレイ番号が３、４であるサブアレイ３４３、３４４は、グループ番号が２であるグループに属する。サブアレイ番号が５、６であるサブアレイ３４５、３４６は、グループ番号が３であるグループに属する。
【０１４１】
（ａ−２）第２の例
図１９及び図２０は、サブアレイのグループの第２の例を説明するための説明図である。
【０１４２】
図１９を参照すると、８×８の指向性アンテナが示されている。例えば、サブアレイとして、垂直方向に並ぶ８つのアンテナポートをそれぞれ含むサブアレイ３５１、３５２、３５３、３５４と、水平方向及び垂直方向の各々に３つのアンテナポートが並ぶ３×３のサブアレイ３５５、３５６、３５７、３５８とが用意される。この例では、サブアレイ３５１、３５２、３５３、３５４が１つのグループに属し、サブアレイ３５５、３５６、３５７、３５８が別のグループに属する。
【０１４３】
図２０を参照すると、サブアレイ番号とグループ番号とが示されている。サブアレイ３５１〜３５８のサブアレイ番号は、それぞれ１〜８である。サブアレイ番号が１〜４であるサブアレイ３５１〜３５４は、グループ番号が１であるグループに属する。サブアレイ番号が５〜８であるサブアレイ３５５〜３５８は、グループ番号が２であるグループに属する。
【０１４４】
（ａ−３）第３の例
図２１及び図２２は、サブアレイのグループの第３の例を説明するための説明図である。
【０１４５】
図２１は、サブアレイのグループの第１の例を説明するための説明図である。図２１を参照すると、８×８の指向性アンテナが示されている。例えば、サブアレイとして、垂直方向に並ぶ８つのアンテナポート（８つのアンテナ素子）をそれぞれ含むサブアレイ３６１、３６２、３６３と、水平方向に並ぶ８つのアンテナポート（８つのアンテナ素子）をそれぞれ含むサブアレイ３６５、３６６、３６７とが用意される。この例では、サブアレイ３６１、３６２、３６３が１つのグループに属し、サブアレイ３６５、３６６、３６７が別のグループに属する。
【０１４６】
図２２を参照すると、サブアレイ番号とグループ番号とが示されている。サブアレイ３６１〜３６７のサブアレイ番号は、それぞれ１〜６である。サブアレイ番号が１〜３であるサブアレイ３６１〜３６３は、グループ番号が１であるグループに属する。サブアレイ番号が４〜６であるサブアレイ３６５〜３６７は、グループ番号が２であるグループに属する。
【０１４７】
（ｂ）グループ情報の内容
例えば、上記グループ情報は、上記複数のサブアレイの各々が属するグループを示す情報である。より具体的には、例えば、上記グループ情報は、上記複数のサブアレイの各々が属するグループのグループ番号を含む。即ち、上記グループ情報は、例えば、図１８、図２０及び図２２に示されるような情報を示す。
【０１４８】
（ｃ）通知手法
例えば、基地局１００（制御部１５３）は、上記サブアレイ情報と同様に、上記グループ情報を端末装置２００に通知する。より具体的には、例えば、基地局１００（制御部１５３）は、端末装置２００へのシグナリングにより、又は、システム情報の中で、上記グループ情報を端末装置２００に通知する。
【０１４９】
（３）基地局が端末装置に通知する情報の具体例
図２３は、本開示の実施形態の第２の変形例において基地局１００が端末装置２００に通知する情報の一例を説明するための説明図である。図２３を参照すると、基地局１００が端末装置２００に通知する情報であるサブアレイコンフィギュレーション３０が示されている。この例では、サブアレイコンフィギュレーション３０は、サブアレイ情報３１、組合せ候補情報３７及びグループ情報４１を含む。図１４の例と同様に、サブアレイ情報３１は、マルチレイヤＭＩＭＯのために使用可能なＮ個のサブアレイ（サブアレイ１〜Ｎ）の各々に含まれるアンテナポートを示す。また、組合せ候補情報３７は、Ｎ個のサブアレイに含まれるサブアレイのＬ個の組合せ候補を示す。とりわけ、グループ情報４１は、Ｎ個のサブアレイ（サブアレイ１〜Ｎ）の各々が属するグループを示す。例えば、サブアレイ１、２はグループ１に属し、サブアレイ３、４は、グループ２に属し、サブアレイ５、６はグループ３に属する。
【０１５０】
（４）重みセットの決定
第２の変形例では、端末装置２００（情報取得部２４１）は、上記グループ情報を取得する。そして、端末装置２００（制御部２４３）は、上記グループ情報に基づいて、上記グループについての、指向性を得るための重みセットを決定する。即ち、端末装置２００（制御部２４３）は、グループ単位で、指向性を得るための重みセット（のＰＭＩ）を決定する。
【０１５１】
ここで、指向性を得るための重みセットは、水平方向の指向性を得るための重みセットであってもよく、垂直方向の指向性を得るための重みセットであってもよく、これらの重みセットのペアであってもよい。あるいは、指向性を得るための重みセットは、水平方向及び垂直方向の両方の指向性を得るための重みセットであってもよい。
【０１５２】
一例として、図１７を再び参照すると、端末装置２００（制御部２４３）は、サブアレイ３４１、３４２について、垂直方向の指向性を得るための重みセット（のＰＭＩ）を決定する。また、端末装置２００（制御部２４３）は、サブアレイ３４３、３４４について、水平方向の指向性を得るための重みセット（のＰＭＩ）を決定する。また、端末装置２００（制御部２４３）は、サブアレイ３４５、３４６について、水平方向及び垂直方向の指向性を得るための重みセット（のＰＭＩ）を決定する。
【０１５３】
これにより、例えば、端末装置２００は、指向性を得るための重みセットをサブアレイごとに算出しなくてもよくなる。そのため、端末装置２００の負荷が軽減され得る。また、同一の放射方向への指向性ビームを形成すべきサブアレイ間で、異なる重みセット（異なるＰＭＩ）が決定されてしまうことを回避することが可能になる。
【０１５４】
（５）重みセットの報告
上述したように、端末装置２００（制御部２４３）は、上記複数のサブアレイに含まれる２つ以上のサブアレイの組合せに関する報告を行う。
【０１５５】
第２の変形例では、例えば、上記報告は、上記グループについての上記重みセット（即ち、指向性を得るための重みセット）の報告を含む。例えば、端末装置２００（制御部２４３）は、上記グループについての上記重みセット（のＰＭＩ）を基地局１００に報告する。例えば、端末装置２００（制御部２４３）は、サブアレイのグループごとに、指向性を得るための重みセット（のＰＭＩ）を基地局が１００に報告する。
【０１５６】
また、例えば、端末装置２００は、上記グループに含まれる上記２つ以上のサブアレイ間の位相を調整するための重みセット（のＰＭＩ）も基地局１００に報告する。例えば、端末装置２００は、サブアレイのグループごとに、指向性を得るための重みセット（のＰＭＩ）と、サブアレイ間の位相を調整するための重みセット（のＰＭＩ）とを、基地局１００に報告する。
【０１５７】
これにより、例えば、端末装置２００により報告される情報が減少し、オーバーヘッドが小さくなり得る。
【０１５８】
＜６．３．第３の変形例＞
次に、図２４及び図２５を参照して、本開示の実施形態に係る第３の変形例を説明する。
【０１５９】
第３の変形例では、上記複数のサブアレイは、より少ないアンテナポート（より少ないアンテナ素子）を含む２つ以上のサブアレイのセットと、より多くのアンテナポート（より多くのアンテナ素子）を含む２つ以上のサブアレイのセットとを含む。以下、図２０及び図２１を参照して、このようなサブアレイのセットの例を説明する。
【０１６０】
図２４は、より少ないアンテナポートを含むサブアレイのセットの一例を説明するための説明図である。図２４を参照すると、１０×１０のアンテナポートと、２つのサブアレイ３７１、３７３のセットとが示されている。サブアレイ３７１及びサブアレイ３７３は、９つのアンテナポートを含むサブアレイである。サブアレイ３７１及びサブアレイ３７３は、少ないアンテナポートを含むので、互いに離れて位置することができる。即ち、サブアレイ３７１及びサブアレイ３７３の相関を小さくすることが可能である。
【０１６１】
図２５は、より多くのアンテナポートを含むサブアレイのセットの一例を説明するための説明図である。図２５を参照すると、１０×１０のアンテナポートと、２つのサブアレイ３８１、３８３のセットとが示されている。サブアレイ３８１及びサブアレイ３８３は、６４のアンテナポートを含むサブアレイである。サブアレイ３８１及びサブアレイ３８３は、多くのアンテナポートを含むので、互いに離れて位置することができない。そのため、サブアレイ３７１及びサブアレイ３７３の相関は大きくなる。
【０１６２】
一例として、基地局１００は、より多くのアンテナポートを含む上記２つ以上のサブアレイを使用しても多くのレイヤ数（例えば、大きいＲＩ）を確保できるのであれば、より多くのアンテナポートを含む上記２つ以上のサブアレイを使用する。これにより、例えば、鋭い指向性ビームを形成して干渉を抑えることが可能になる。
【０１６３】
別の例として、基地局１００は、より多くのアンテナポートを含む上記２つ以上のサブアレイを使用すると多くのレイヤ数（例えば、大きいＲＩ）を確保できないのであれば、より少ないアンテナポートを含む上記２つ以上のサブアレイを使用する。これにより、例えば、より多くのレイヤ数が確保され得る。
【０１６４】
このように、第３の変形例によれば、例えば、個々の端末装置２００にとって適切なサブアレイが選択され得る。その結果、干渉が抑えられ、及び／又はより多くのレイヤ数が確保され得る。
【０１６５】
＜＜７．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１６６】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１６７】
＜７．１．基地局に関する応用例＞
（１）第１の応用例
図２６は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１６８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２６に示したように複数のアンテナ８１０を有し、複数のアンテナ８１０は、例えばｅＮＢ８００が使用する複数の周波数帯域にそれぞれ対応してもよい。なお、図２６にはｅＮＢ８００が複数のアンテナ８１０を有する例を示したが、ｅＮＢ８００は単一のアンテナ８１０を有してもよい。
【０１６９】
基地局装置８２０は、コントローラ８２１、メモリ８２２、ネットワークインタフェース８２３及び無線通信インタフェース８２５を備える。
【０１７０】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１７１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１７２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１７３】
無線通信インタフェース８２５は、図２６に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２６に示したように複数のＲＦ回路８２７を含み、複数のＲＦ回路８２７は、例えば複数のアンテナ素子にそれぞれ対応してもよい。なお、図２６には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１７４】
図２６に示したｅＮＢ８００において、図４を参照して説明した情報取得部１５１及び／又は制御部１５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて情報取得部１５１及び／又は制御部１５３が実装されてもよい。この場合に、上記モジュールは、プロセッサを情報取得部１５１及び／又は制御部１５３として機能させるためのプログラム（換言すると、プロセッサに情報取得部１５１及び／又は制御部１５３の動作を実行させるためのプログラム）を記憶し、当該プログラムを実行してもよい。別の例として、プロセッサを情報取得部１５１及び／又は制御部１５３として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、情報取得部１５１及び／又は制御部１５３を備える装置としてｅＮＢ８００、基地局装置８２０又は上記モジュールが提供されてもよく、プロセッサを情報取得部１５１及び／又は制御部１５３として機能させるためのプログラムが提供されてもよい。また、上記プログラムを記録した読み取り可能な記録媒体が提供されてもよい。
【０１７５】
また、図２６に示したｅＮＢ８００において、図４を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０１７６】
（２）第２の応用例
図２７は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１７７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２７に示したように複数のアンテナ８４０を有し、複数のアンテナ８４０は、例えばｅＮＢ８３０が使用する複数の周波数帯域にそれぞれ対応してもよい。なお、図２７にはｅＮＢ８３０が複数のアンテナ８４０を有する例を示したが、ｅＮＢ８３０は単一のアンテナ８４０を有してもよい。
【０１７８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２６を参照して説明したコントローラ８２１、メモリ８２２及びネットワークインタフェース８２３と同様のものである。
【０１７９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２６を参照して説明したＢＢプロセッサ８２６と同様のものである。無線通信インタフェース８５５は、図２７に示したように複数のＢＢプロセッサ８５６を含み、複数のＢＢプロセッサ８５６は、例えばｅＮＢ８３０が使用する複数の周波数帯域にそれぞれ対応してもよい。なお、図２７には無線通信インタフェース８５５が複数のＢＢプロセッサ８５６を含む例を示したが、無線通信インタフェース８５５は単一のＢＢプロセッサ８５６を含んでもよい。
【０１８０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１８１】
また、ＲＲＨ８６０は、接続インタフェース８６１及び無線通信インタフェース８６３を備える。
【０１８２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１８３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２７に示したように複数のＲＦ回路８６４を含み、複数のＲＦ回路８６４は、例えば複数のアンテナ素子にそれぞれ対応してもよい。なお、図２７には無線通信インタフェース８６３が複数のＲＦ回路８６４を含む例を示したが、無線通信インタフェース８６３は単一のＲＦ回路８６４を含んでもよい。
【０１８４】
図２７に示したｅＮＢ８３０において、図４を参照して説明した情報取得部１５１及び／又は制御部１５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて情報取得部１５１及び／又は制御部１５３が実装されてもよい。この場合に、上記モジュールは、プロセッサを情報取得部１５１及び／又は制御部１５３として機能させるためのプログラム（換言すると、プロセッサに情報取得部１５１及び／又は制御部１５３の動作を実行させるためのプログラム）を記憶し、当該プログラムを実行してもよい。別の例として、プロセッサを情報取得部１５１及び／又は制御部１５３として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、情報取得部１５１及び／又は制御部１５３を備える装置としてｅＮＢ８３０、基地局装置８５０又は上記モジュールが提供されてもよく、プロセッサを情報取得部１５１及び／又は制御部１５３として機能させるためのプログラムが提供されてもよい。また、上記プログラムを記録した読み取り可能な記録媒体が提供されてもよい。
【０１８５】
また、図２７に示したｅＮＢ８３０において、例えば、図４を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０１８６】
＜７．２．端末装置に関する応用例＞
（１）第１の応用例
図２８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１８７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１８８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１８９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２８に示したように複数のＢＢプロセッサ９１３及び複数のＲＦ回路９１４を含んでもよい。なお、図２８には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１９０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１９１】
アンテナスイッチ９１５の各々は、無線通信インタフェース９１２に含まれる複数の回路（例えば、異なる無線通信方式のための回路）の間でアンテナ９１６の接続先を切り替える。
【０１９２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２８に示したように複数のアンテナ９１６を有してもよい。なお、図２８にはスマートフォン９００が複数のアンテナ９１６を有する例を示したが、スマートフォン９００は単一のアンテナ９１６を有してもよい。
【０１９３】
さらに、スマートフォン９００は、無線通信方式ごとにアンテナ９１６を備えてもよい。その場合に、アンテナスイッチ９１５は、スマートフォン９００の構成から省略されてもよい。
【０１９４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２８に示したスマートフォン９００の各ブロックへ電力を供給する。補助コントローラ９１９は、例えば、スリープモードにおいて、スマートフォン９００の必要最低限の機能を動作させる。
【０１９５】
図２８に示したスマートフォン９００において、図５を参照して説明した情報取得部２４１及び／又は制御部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部２４１及び／又は制御部２４３が実装されてもよい。この場合に、上記モジュールは、プロセッサを情報取得部２４１及び／又は制御部２４３として機能させるためのプログラム（換言すると、プロセッサに情報取得部２４１及び／又は制御部２４３の動作を実行させるためのプログラム）を記憶し、当該プログラムを実行してもよい。別の例として、プロセッサを情報取得部２４１及び／又は制御部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部２４１及び／又は制御部２４３を備える装置としてスマートフォン９００又は上記モジュールが提供されてもよく、プロセッサを情報取得部２４１及び／又は制御部２４３として機能させるためのプログラムが提供されてもよい。また、上記プログラムを記録した読み取り可能な記録媒体が提供されてもよい。
【０１９６】
また、図２８に示したスマートフォン９００において、例えば、図５を参照して説明した無線通信部２２０は、無線通信インタフェース９１２（例えば、ＲＦ回路９１４）において実装されてもよい。また、アンテナ部２１０は、アンテナ９１６において実装されてもよい。
【０１９７】
（２）第２の応用例
図２９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１９８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１９９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２００】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２０１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２９に示したように複数のＢＢプロセッサ９３４及び複数のＲＦ回路９３５を含んでもよい。なお、図２９には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２０２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２０３】
アンテナスイッチ９３６の各々は、無線通信インタフェース９３３に含まれる複数の回路（例えば、異なる無線通信方式のための回路）の間でアンテナ９３７の接続先を切り替える。
【０２０４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２９に示したように複数のアンテナ９３７を有してもよい。なお、図２９にはカーナビゲーション装置９２０が複数のアンテナ９３７を有する例を示したが、カーナビゲーション装置９２０は単一のアンテナ９３７を有してもよい。
【０２０５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２０６】
バッテリー９３８は、図中に破線で部分的に示した給電ラインを介して、図２９に示したカーナビゲーション装置９２０の各ブロックへ電力を供給する。また、バッテリー９３８は、車両側から給電される電力を蓄積する。
【０２０７】
図２９に示したカーナビゲーション装置９２０において、図５を参照して説明した情報取得部２４１及び／又は制御部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部２４１及び／又は制御部２４３が実装されてもよい。この場合に、上記モジュールは、プロセッサを情報取得部２４１及び／又は制御部２４３として機能させるためのプログラム（換言すると、プロセッサに情報取得部２４１及び／又は制御部２４３の動作を実行させるためのプログラム）を記憶し、当該プログラムを実行してもよい。別の例として、プロセッサを情報取得部２４１及び／又は制御部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部２４１及び／又は制御部２４３を備える装置としてカーナビゲーション装置９２０又は上記モジュールが提供されてもよく、プロセッサを情報取得部２４１及び／又は制御部２４３として機能させるためのプログラムが提供されてもよい。また、上記プログラムを記録した読み取り可能な記録媒体が提供されてもよい。
【０２０８】
また、図２９に示したカーナビゲーション装置９２０において、例えば、図５を参照して説明した無線通信部２２０は、無線通信インタフェース９３３（例えば、ＲＦ回路９３５）において実装されてもよい。また、アンテナ部２１０は、アンテナ９３７において実装されてもよい。
【０２０９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１及び／又は制御部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２１０】
＜＜８．まとめ＞＞
ここまで、図３〜図２９を参照して、本開示の実施形態に係る各置及び各処理を説明した。
【０２１１】
本開示の実施形態によれば、基地局１００は、マルチレイヤＭＩＭＯのために使用可能な複数のサブアレイを示すサブアレイ情報を取得する情報取得部１５１と、上記サブアレイ情報を端末装置２００に通知する制御部１５３と、を備える。
【０２１２】
本開示の実施形態によれば、端末装置２００は、マルチレイヤＭＩＭＯのために使用可能な複数のサブアレイを示すサブアレイ情報を取得する情報取得部２４１と、上記複数のサブアレイに含まれる２つ以上のサブアレイの組合せに関する報告を行う制御部２４３と、を備える。
【０２１３】
これにより、例えば、マルチレイヤＭＩＭＯのために望ましいサブアレイの組合せを使用することが可能になる。
【０２１４】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０２１５】
例えば、システムがＬＴＥ、ＬＴＥ−Ａｄｖａｎｃｅｄ、又はこれらに準ずる通信規格に準拠したシステムである例を説明したが、本開示は係る例に限定されない。例えば、システムは、他の通信規格に準拠したシステムであってもよい。
【０２１６】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２１７】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、情報取得部及び制御部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、情報取得部及び通信制御部など）の動作を含む方法も、本開示に係る技術に含まれる。
【０２１８】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２１９】
なお、以下のような構成も本開示の技術的範囲に属する。
（１）
マルチレイヤＭＩＭＯ（Multi-Input  Multi-Output）のために使用可能な複数のサブアレイを示すサブアレイ情報を取得する取得部と、
前記サブアレイ情報を端末装置に通知する制御部と、
を備える装置。
（２）
前記サブアレイ情報は、前記複数のサブアレイの各々に含まれるアンテナポートを示す情報を含む、前記（１）に記載の装置。
（３）
前記サブアレイ情報は、前記複数のサブアレイの各々を識別するための識別情報を含む、前記（１）又は（２）に記載の装置。
（４）
前記取得部は、マルチレイヤＭＩＭＯのために組み合わせられるサブアレイの数を示す第１の数情報を取得し、
前記制御部は、前記第１の数情報を前記端末装置に通知する、
前記（１）〜（３）のいずれか１項に記載の装置。
（５）
前記端末装置は、前記複数のサブアレイに含まれる２つ以上のサブアレイの組合せに関する報告を行う端末装置であり、
前記取得部は、報告の対象とするサブアレイの組合せの数を示す第２の数情報を取得し、
前記制御部は、前記第２の数情報を前記端末装置に通知する、
前記（１）〜（４）のいずれか１項に記載の装置。
（６）
前記複数のサブアレイは、１つ以上のアンテナポートを共通に含む２つ以上のサブアレイを含む、前記（１）〜（５）のいずれか１項に記載の装置。
（７）
前記取得部は、前記複数のサブアレイに含まれる２つ以上のサブアレイの１つ以上の組合せ候補を示す組合せ候補情報を取得し、
前記制御部は、前記組合せ候補情報を前記端末装置に通知する、
前記（１）〜（６）のいずれか１項に記載の装置。
（８）
前記組合せ候補情報は、前記複数のサブアレイに含まれる２つ以上のサブアレイの２つ以上の組合せ候補を示し、
前記取得部は、前記２つ以上の組合せ候補の優先順位を示す優先順位情報を取得し、
前記制御部は、前記優先順位情報を前記端末装置に通知する、
前記（７）に記載の装置。
（９）
前記端末装置は、前記複数のサブアレイに含まれる２つ以上のサブアレイの組合せに関する報告を行う端末装置であり、
前記制御部は、前記端末装置により行われる前記報告に基づいて、前記端末装置についてのマルチレイヤＭＩＭＯのために使用される２つ以上のサブアレイの組合せを決定する、
前記（１）〜（８）のいずれか１項に記載の装置。
（１０）
前記端末装置についてのマルチレイヤＭＩＭＯのために使用される前記２つ以上のサブアレイの前記組合せは、１つ以上のアンテナポートを共通に含む所定数超のサブアレイを含まない、前記（９）に記載の装置。
（１１）
前記取得部は、前記複数のサブアレイのうちの、マルチレイヤＭＩＭＯにおいて同一の放射方向への指向性ビームを形成する２つ以上のサブアレイのグループを示すグループ情報を取得し、
前記制御部は、前記グループ情報を前記端末装置に通知する、
前記（１）〜（１０）のいずれか１項に記載の装置。
（１２）
マルチレイヤＭＩＭＯのために使用可能な複数のサブアレイを示すサブアレイ情報を取得する取得部と、
前記複数のサブアレイに含まれる２つ以上のサブアレイの組合せに関する報告を行う制御部と、
を備える装置。
（１３）
前記制御部は、前記複数のサブアレイの中から、マルチレイヤＭＩＭＯに望ましい２つ以上のサブアレイの組合せを選択し、
前記報告は、マルチレイヤＭＩＭＯに望ましい前記２つ以上のサブアレイの前記組合せの報告を含む、
前記（１２）に記載の装置。
（１４）
前記報告は、前記２つ以上のサブアレイの前記組合せについての重みセットの報告を含む、前記（１２）又は（１３）に記載の装置。
（１５）
前記重みセットは、前記２つ以上のサブアレイ間の位相を調整するための重みセットを含む、前記（１４）に記載の装置。
（１６）
前記報告は、前記２つ以上のサブアレイの前記組合せについてのレイヤ数の報告を含む、前記（１２）〜（１５）のいずれか１項に記載の装置。
（１７）
前記報告は、前記２つ以上のサブアレイの前記組合せについてのチャネル品質の報告を含む、前記（１２）〜（１６）のいずれか１項に記載の装置。
（１８）
前記取得部は、前記複数のサブアレイに含まれる２つ以上のサブアレイの１つ以上の組合せ候補を示す組合せ候補情報を取得し、
前記報告は、前記１つ以上の組合せ候補に含まれる組合せに関する報告である、
前記（１２）〜（１７）のいずれか１項に記載の装置。
（１９）
前記組合せ候補情報は、前記複数のサブアレイに含まれる２つ以上のサブアレイの２つ以上の組合せ候補を示し、
前記取得部は、前記２つ以上の組合せ候補の優先順位を示す優先順位情報を取得し、
前記制御部は、前記優先順位情報に基づいて、前記２つ以上の組合せ候補に含まれる組合せに関する報告を行う、
前記（１８）に記載の装置。
（２０）
前記取得部は、前記複数のサブアレイのうちの、マルチレイヤＭＩＭＯにおいて同一の放射方向への指向性ビームを形成する２つ以上のサブアレイのグループを示すグループ情報を取得し、
前記制御部は、前記グループ情報に基づいて、前記グループについての、指向性を得るための重みセットを決定する、
前記（１２）〜（１９）のいずれか１項に記載の装置。
（２１）
前記装置は、基地局、基地局のための基地局装置、又は当該基地局装置のためのモジュールである、前記（１）〜（１１）のいずれか１項に記載の装置。
（２２）
前記装置は、端末装置、又は端末装置のためのモジュールである、前記（１２）〜（２０）のいずれか１項に記載の装置。
（２３）
プロセッサにより、
マルチレイヤＭＩＭＯ（Multi-Input  Multi-Output）のために使用可能な複数のサブアレイを示すサブアレイ情報を取得することと、
前記サブアレイ情報を端末装置に通知することと、
を含む方法。
（２４）
マルチレイヤＭＩＭＯ（Multi-Input  Multi-Output）のために使用可能な複数のサブアレイを示すサブアレイ情報を取得することと、
前記サブアレイ情報を端末装置に通知することと、
をプロセッサに実行させるためのプログラム。
（２５）
マルチレイヤＭＩＭＯ（Multi-Input  Multi-Output）のために使用可能な複数のサブアレイを示すサブアレイ情報を取得することと、
前記サブアレイ情報を端末装置に通知することと、
をプロセッサに実行させるためのプログラムを記録した読み取り可能な記録媒体。
（２６）
プロセッサにより、
マルチレイヤＭＩＭＯのために使用可能な複数のサブアレイを示すサブアレイ情報を取得することと、
前記複数のサブアレイに含まれる２つ以上のサブアレイの組合せに関する報告を行うことと、
を含む方法。
（２７）
マルチレイヤＭＩＭＯのために使用可能な複数のサブアレイを示すサブアレイ情報を取得することと、
前記複数のサブアレイに含まれる２つ以上のサブアレイの組合せに関する報告を行うことと、
をプロセッサに実行させるためのプログラム。
（２８）
マルチレイヤＭＩＭＯのために使用可能な複数のサブアレイを示すサブアレイ情報を取得することと、
前記複数のサブアレイに含まれる２つ以上のサブアレイの組合せに関する報告を行うことと、
をプロセッサに実行させるためのプログラムを記録した読み取り可能な記録媒体。
【符号の説明】
【０２２０】
１        システム
３０      サブアレイコンフィギュレーション
３１      サブアレイ情報
３３      第１の数情報
３４      第２の数情報
３５      第３の数情報
３７      組合せ候補情報
３９      優先順位情報
４１      グループ情報
５０      報告情報
５１      組合せ情報
５３      チャネル状態情報
１００    基地局
１０１    セル
１５１    情報取得部
１５３    制御部
２００    端末装置
２４１    情報取得部
２４３    制御部
【図１】
2016152301.tif 000005
【図２】
2016152301.tif 000006
【図３】
2016152301.tif 000007
【図４】
2016152301.tif 000008
【図５】
2016152301.tif 000009
【図６】
2016152301.tif 000010
【図７】
2016152301.tif 000011
【図８】
2016152301.tif 000012
【図９】
2016152301.tif 000013
【図１０】
2016152301.tif 000014
【図１１】
2016152301.tif 000015
【図１２】
2016152301.tif 000016
【図１３】
2016152301.tif 000017
【図１４】
2016152301.tif 000018
【図１５】
2016152301.tif 000019
【図１６】
2016152301.tif 000020
【図１７】
2016152301.tif 000021
【図１８】
2016152301.tif 000022
【図１９】
2016152301.tif 000023
【図２０】
2016152301.tif 000024
【図２１】
2016152301.tif 000025
【図２２】
2016152301.tif 000026
【図２３】
2016152301.tif 000027
【図２４】
2016152301.tif 000028
【図２５】
2016152301.tif 000029
【図２６】
2016152301.tif 000030
【図２７】
2016152301.tif 000031
【図２８】
2016152301.tif 000032
【図２９】
2016152301.tif 000033
【国際調査報告】
2016152301.tif 000034
2016152301.tif 000035
2016152301.tif 000036